(57)【要約】【課題】光ファイバ通信に適応させて情報系の信号および映像系の信号を、効率的に閲覧させる装置を提供すること。【解決手段】光ネットワーク９に接続されたアクセス装置５は、操作入力装置６から操作情報を受けつける操作入力部と、ＰＣおよび周辺機器８を接続する情報系機器通信部と、映像系の信号の受信を行う映像系信号通信部と、情報系の信号の送受信を行う情報系信号通信部と、光信号と電気信号との変換を行う光／電気信号変換部と、映像データを作成する処理を行う演算処理部と、作成された映像データを表示装置に出力する映像出力部とを含んで構成されることを特徴とする。かかる構成によれば、光ファイバ通信を介して情報系の信号および映像系の信号を、１台のアクセス装置で受信することで、効率的に閲覧させることができる。【選択図】      図１
2004242206.tif 000002
【特許請求の範囲】
【請求項１】
光ネットワークを介して受信される情報系の信号および映像系の信号から映像データを作成して表示装置に出力するアクセス装置であって、ユーザからの操作情報を前記アクセス装置に送信する操作入力装置から前記操作情報を受けつける操作入力部と、前記アクセス装置と接続して前記情報系の信号の入出力を行うＰＣおよび周辺機器を接続する情報系機器通信部と、前記光ネットワークに接続されて前記映像系の信号の受信を行う映像系信号通信部と、前記光ネットワークに接続されて前記情報系の信号の送受信を行う情報系信号通信部と、前記映像系信号通信部または前記情報系信号通信部により受信された光信号と電気信号との変換を行う光／電気信号変換部と、前記電気信号に変換されたデータから前記映像データを作成する処理を行う演算処理部と、作成された前記映像データを前記表示装置に出力する映像出力部とを含んで構成されることを特徴とするアクセス装置。
【請求項２】
前記アクセス装置は、前記光ネットワークを介して受信した前記映像系の信号から所定のチャンネルの映像および音声を抽出する映像系信号のチューナ部を更に含めて構成されることを特徴とする請求項１に記載のアクセス装置。
【請求項３】
前記アクセス装置は、アナログ信号で入力された前記映像系の信号をデジタル信号に変換する映像信号のＡ／Ｄ変換部を更に含めて構成されることを特徴とする請求項１または請求項２に記載のアクセス装置。
【請求項４】
前記アクセス装置は、デジタル信号で入力された前記映像データをアナログ信号に変換する映像信号のＤ／Ａ変換部を更に含めて構成されることを特徴とする請求項１ないし請求項３のいずれか１項に記載のアクセス装置。
【請求項５】
前記アクセス装置は、前記アクセス装置から音声信号を発する音声部を更に含めて構成されることを特徴とする請求項１ないし請求項４のいずれか１項に記載のアクセス装置。
【請求項６】
前記アクセス装置は、前記アクセス装置に接続されるセンサからの情報を通知する処理を制御するセンサ処理部を更に含めて構成されることを特徴とする請求項１ないし請求項５のいずれか１項に記載のアクセス装置。
【請求項７】
前記アクセス装置は、前記情報系の信号および前記映像系の信号として、地域情報のコンテンツの入出力を行うことを特徴とする請求項１ないし請求項６のいずれか１項に記載のアクセス装置。
【請求項８】
請求項１ないし請求項７のいずれか１項に記載の前記アクセス装置を操作するための前記操作入力装置であって、前記操作入力装置は、複数のボタンおよび無線通信の手段を有するリモコン装置として構成されることを特徴とする請求項１ないし請求項７のいずれか１項に記載のアクセス装置を操作するための操作入力装置。
【請求項９】
前記操作入力装置は、前記映像出力部に出力する映像の信号をユーザに選択させるための映像切替ボタン、前記映像系の信号に含まれる１つ以上の映像チャンネルから前記映像出力部に出力するチャンネルをユーザに選択させるチャンネル選択ボタン、前記情報系の信号である行政情報の取得を要求させるための行政情報ボタン、ならびに、前記情報系の信号である電子メールを編集させるソフトを起動するための電子メールボタンのうち、少なくとも１つのボタンを有することを特徴とする請求項８に記載の操作入力装置。
【請求項１０】
請求項１ないし請求項７のいずれか１項に記載の前記アクセス装置を制御するためのプログラムであって、前記プログラムは、前記アクセス装置に読み取られ、実行されることで、前記アクセス装置を制御することを特徴とする請求項１ないし請求項７のいずれか１項に記載のアクセス装置を制御するためのプログラム。
【発明の詳細な説明】
【０００１】
【発明の属する技術分野】
本発明は、光ネットワークのアクセス装置、アクセス装置の操作入力装置、ならびに、アクセス装置の制御プログラムに関する。
【０００２】
【従来の技術】
インターネットなどのネットワーク技術の発展に伴い、企業から家庭まで、ネットワークインフラの普及が加速化している。家庭にいるユーザは、これらのネットワークインフラの回線を、例えばＰＣ（Ｐｅｒｓｏｎａｌ  Ｃｏｍｐｕｔｅｒ）などのアクセス装置と接続して、他端末からコンテンツを受信する環境を享受している。これらのアクセス装置は、例えば、受信する信号の種別、通信の規格、ならびに、ユーザの操作を受けつけるインタフェースなどに応じて、様々なものが提案されている。よって、ユーザは、所望のコンテンツの内容や、インタフェースなどに応じて、複数のアクセス装置を使い分けることとなる。
【０００３】
そこで、従来の家庭用情報端末は、インターネットなどから受信する情報系の信号と、ＴＶアンテナから受信する映像系の信号という２種類の信号を入力とする（例えば、特許文献１参照）。そして、その家庭用情報端末は、それらの２種類の信号を、１台のＴＶ受信機に表示させるための変換機能を有している。これにより、ユーザは、２種類の信号を表示させるために、家庭用情報端末という１台の装置を用意するだけで済む。よって、２種類の信号を別々の装置に入力させる方式に比べ、設置場所および消費電力を節約することができる。
【０００４】
【特許文献１】
特開２０００−１８１５９６号公報（段落［０００４］等）
【０００５】
【発明が解決しようとする課題】
なお、光ファイバ通信によるネットワーク技術の高速化に伴い、光ファイバ通信を使用して情報を高速に通信するためのインフラの整備が、進められている。それらの高速通信のためのインフラの整備は、さらなる普及が見込まれている。そして、家庭から高速通信のインフラを有効に使用するためには、光ファイバの通信に対応したアクセス装置を、家庭側で用意することが必要となる。
【０００６】
また、家庭内の各機器を接続してネットワークを構築するホームネットワークの普及も進められている。これらのホームネットワークを構成する家庭内の機器は、同じ家庭内に設置されている機器とだけではなく、家庭外と接続するネットワークを介して、建物の外にある端末と通信することもある。一例を挙げると、家庭の外にいるユーザが、携帯電話などから、家庭内の録画装置に対して、タイマ予約の指示を送信する場合がある。この場合、携帯電話と録画装置とが通信可能となるためには、家庭内に設置されている録画装置は、家庭外の携帯電話のネットワークと接続されていることが必要となる。よって、ホームネットワークを構成する家庭内の各機器と、家庭の外とのネットワークを接続するための通信接続機器（例えば、複数のポートを有するＨＵＢ機能を含むルータ装置）も、家庭側で用意することが必要となる。
【０００７】
さらに、ユーザが家庭で扱う情報は、ＩＰ（Ｉｎｔｅｒｎｅｔ  Ｐｒｏｔｏｃｏｌ）通信などの情報系の信号だけでなく、ＴＶなどの映像系の信号も存在する。よって、ユーザは、光ファイバの通信により、放送局から映像信号が送信されるようになると、映像を受信して閲覧させるために、光ファイバの通信に適合する専用のチューナを、家庭側で用意することが必要となる。
【０００８】
以上のように、光ファイバ通信によるネットワーク技術の高速化に対応してホームネットワークを構築するために、ユーザは、光ファイバの通信に対応する各装置（情報系の信号を扱うアクセス装置、ホームネットワークを構築するための通信接続機器、ならびに、映像系の信号を扱う専用のチューナ）を、それぞれ設置することが必要となる。しかし、これらの各装置を設置することは、設置場所の確保、消費電力の供給、ならびに、機器と接続するケーブルの接続の煩わしさにおいて、ユーザへの負担となっている。なお、特許文献１などの従来のアクセス装置では、光ファイバ通信およびホームネットワークの構築への対処は、不十分である。
【０００９】
そこで本発明は、前記に鑑み、光ファイバ通信に適応させて情報系の信号および映像系の信号を、効率的に閲覧させる装置を提供することを、主な目的とする。
【００１０】
【課題を解決するための手段】
本発明は、前記目的を達成するために創案されたものであり、光ネットワークを介して受信される情報系の信号および映像系の信号から映像データを作成して表示装置に出力するアクセス装置であって、ユーザからの操作情報を前記アクセス装置に送信する操作入力装置から前記操作情報を受けつける操作入力部と、前記アクセス装置と接続して前記情報系の信号の入出力を行うＰＣおよび周辺機器を接続する情報系機器通信部と、前記光ネットワークに接続されて前記映像系の信号の受信を行う映像系信号通信部と、前記光ネットワークに接続されて前記情報系の信号の送受信を行う情報系信号通信部と、前記映像系信号通信部または前記情報系信号通信部により受信された光信号と電気信号との変換を行う光／電気信号変換部と、前記電気信号に変換されたデータから前記映像データを作成する処理を行う演算処理部と、作成された前記映像データを前記表示装置に出力する映像出力部とを含んで構成されることを特徴とする。かかる構成によれば、光ファイバ通信に適応させて情報系の信号および映像系の信号を、１台のアクセス装置で受信することで、効率的に閲覧させることができる。
【００１１】
【発明の実施の形態】
以下に、本発明が適用される地域情報のアクセスシステムの一実施形態について、図面を参照して詳細に説明する。まず、本実施形態の地域情報のアクセスシステムの構成について、図１を参照して説明する。
【００１２】
まず、図１に示す地域情報のアクセスシステムは、光ネットワークを用いて地域情報などの情報の配信および閲覧をさせる機能を有する。なお、地域情報は、動画および音声によって構成される映像系の信号１０１と、ＩＰパケット形式などを用いてやりとりされるデジタルデータの信号である情報系の信号１０２とを含むものとする。そして、これらの地域情報は、例えば、全国の市町村である自治体によって、作成および運営がなされる行政情報である。このため、地域情報のアクセスシステムは、地域情報のコンテンツを映像形式で配信する映像系サーバ装置１と、計算機で扱われるデジタルデータの形式で地域情報のコンテンツを配信する情報系サーバ装置２と、映像系の信号１０１および情報系の信号１０２を表示させるための変換処理を行うアクセス装置５（請求項における“プログラム”によって制御される）と、ユーザからの操作情報を受けつけてアクセス装置５に通知する操作入力装置６と、アクセス装置５から出力される映像の信号を受けて表示する表示装置７と、アクセス装置５と接続して情報系の信号１０２の入出力を行う周辺機器８と、光ファイバによって構成されるＣＡＴＶ網などのイントラネットである光ネットワーク９とを含んで構成される。なお、映像系サーバ装置１は、ＣＡＴＶの放送装置として構成される。また、周辺機器８は、例えば、紙面を印刷するプリンタ、双方向で音声を通信する電話、撮影の際に使用されるカメラ、ならびに、個人を認証するためのＩＣカード読み取り機が挙げられる。さらに、アクセス装置５は、外部の環境を測定する各種センサ（例えば、水道の使用量を測定する水道センサ）を接続する構成としてもよい。
【００１３】
ここで、地域情報のコンテンツの配信の概要について、説明する。まず、光ネットワーク９は、映像系サーバ装置１、情報系サーバ装置２、ならびに、アクセス装置５などを接続するネットワークであり、地域情報のコンテンツの伝送手段として使用される。また、映像系サーバ装置１は、映像系サーバ装置１内に格納する映像系の信号１０１を、光ネットワーク９上に送受信する機能を有する。さらに、情報系サーバ装置２は、情報系サーバ装置２内に格納する情報系の信号１０２を、光ネットワーク９上に送信する機能を有する。そして、アクセス装置５は、光ネットワーク９を介して、映像系サーバ装置１から映像系の信号１０１を受信し、また、情報系サーバ装置２から情報系の信号１０２を送受信する。そのため、アクセス装置５には、映像系の信号１０１を受信するためのインタフェースと、情報系の信号１０２を受信するためのインタフェースとを、少なくとも１本ずつ有する構成となっている。
【００１４】
次に、地域情報のアクセスシステムを構成する各装置について、より具体的に説明する。
【００１５】
まず、図２に示すアクセス装置５は、アクセス装置５が敷設された建物から外部の装置と光ネットワーク９を介して接続するための外部インタフェース部１０と、映像系の信号１０１および情報系の信号１０２についての処理を行う処理部２０と、アクセス装置５が設置された建物内部の装置と通信するための内部インタフェース部３０と、アクセス装置５の各部から共通に使用される共通部４０とを含んで構成される。以下、アクセス装置５の各構成要素について、詳細に説明する。
【００１６】
アクセス装置５の外部インタフェース部１０は、映像系の信号１０１を受信するインタフェースである映像系信号通信部１１Ａと、情報系の信号１０２の送受信を行うインタフェースである情報系信号通信部１２Ａと、光／電気変換素子により構成されて光信号と電気信号との変換を行う光／電気信号変換部（１１Ｂおよび１２Ｂ）とを含んで構成される。光／電気信号変換部１１Ｂは、映像系信号通信部１１Ａにより受信した光信号と電気信号との変換を行う。また、光／電気信号変換部１２Ｂは、情報系信号通信部１２Ａにより受信した光信号と電気信号との変換を行う。
【００１７】
アクセス装置５の処理部２０は、受信した映像系の信号１０１から所定のチャンネルの映像および音声を抽出する映像系信号のチューナ部２１と、アナログ信号で入力された映像系の信号１０１をデジタル信号に変換する映像信号のＡ／Ｄ変換部２２と、アクセス装置５内の各部の制御および映像データの生成などの情報処理を行う演算処理部２３と、デジタル信号で入力された映像データをアナログ信号に変換する映像信号のＤ／Ａ変換部２４とを含んで構成される。
【００１８】
アクセス装置５の内部インタフェース部３０は、操作入力装置６から操作情報を受けつけるインタフェースである操作入力部３１と、ダウンコンバータなどにより構成されてアクセス装置５で処理された映像データを表示装置７に出力する映像出力部３２と、ＰＣおよび周辺機器８とアクセス装置５とを接続するインタフェースである情報系機器通信部３３とを含んで構成される。
【００１９】
アクセス装置５の共通部４０は、アクセス装置５に電力を供給するための電源部４１と、アクセス装置５から音声信号を発するための音声部４２と、アクセス装置５に接続されるセンサからの情報を通知する処理を制御するセンサ処理部４３とを含んで構成される。なお、音声部４２は、例えば、スピーカによって構成される。以上、アクセス装置５の各構成要素について、詳細に説明した。
【００２０】
ここで、アクセス装置５の概観図の一例を、図３に示す。なお、図３（Ａ）は、アクセス装置５の背面レイアウトの図を示し、図３（Ｂ）は、アクセス装置５の前面レイアウトの図を示す。まず、図３（Ａ）において、“映像系光入力ファイバーコネクタ”は、図２における映像系信号通信部１１Ａに対応し、“情報系光入力ファイバーコネクタ”は、図２における情報系信号通信部１２Ａに対応する。次に、“電源ケーブル”は、図２における電源部４１に対応する。そして、“プリンタコネクタ”は、図２における情報系機器通信部３３に対応し、接続される周辺機器８の一例として、プリンタとの接続を行うための端子である。さらに、“サウンド出力（ステレオ）／映像出力（ＮＴＳＣ）”、“映像出力（Ｓ端子）”、ならびに、“映像出力（ＲＦ端子）”は、図２における映像出力部３２に対応する。また、“ＬＡＮコネクタ／外部ＰＣ接続”は、図２における情報系機器通信部３３に対応し、外部のＰＣとの接続に使用される。次に、図３（Ｂ）において、“リモコン受光部”は、図２における操作入力部３１に対応している。“電源ランプ”は、図２における電源部４１の動作を確認させるためのものであり、電源が投入されている状態を、発光によって、ユーザに通知する。
【００２１】
なお、図３の各端子の構成要素について、例えば、“プリンタコネクタ”は、ＩＥＥＥ１２８４（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  １２８４）規格のパラレルポートとして、実現される。また、“サウンド出力（ステレオ）／映像出力（ＮＴＳＣ）”は、例えば、コンポジット端子として、実現される。さらに、“ＬＡＮコネクタ／外部ＰＣ接続”は、ＩＥＥＥ８０２．３規格のイーサネット（Ｒ）として、実現される。なお、以上説明した図３に示される各構成要素の実現手段は、あくまで一例である。よって、図３は、特定の規格または端子の形状を限定するものではなく、適宜変更を行ってもよい。実現手段の変更は、例えば、“プリンタコネクタ”を、ＩＥＥＥ１２８４規格のパラレルポートによって実現する替わりに、ＵＳＢ（Ｕｎｉｖｅｒｓａｌ  Ｓｅｒｉａｌ  Ｂｕｓ）の規格を用いて実現してもよい。
【００２２】
次に、操作入力装置６の構成について、図４に示す概観図を参照して、より具体的に説明する。なお、操作入力装置６は、例えば、図４に示すリモコン装置として、実現される。このリモコン装置は、ＴＶなどで広く普及しているリモコン装置のボタン（チャンネルの変更ボタンなど）に加えて、インターネットなどの情報系の信号１０２の入力に対応するボタンを付加するものである。よって、ユーザは、ＴＶなどのリモコンで習熟したリモコン操作について、図４に示すリモコン装置でも同様に操作できるので、例えば高齢者であってもなじみやすく、また操作しやすいという利点がある。
【００２３】
よって、図４に示す操作入力装置６は、映像出力部３２（図２参照）に出力する映像の信号（映像系の信号１０１または情報系の信号１０２）をユーザに選択させるための映像切替ボタン６Ａと、映像系の信号１０１に含まれる１つ以上の映像チャンネルから映像出力部３２に出力するチャンネルをユーザに選択させるチャンネル選択ボタン６Ｂと、情報系の信号１０２である行政情報の取得を要求させるための行政情報ボタン６Ｃと、情報系の信号１０２である電子メールを編集させるソフトを起動するための電子メールボタン６Ｄとを含んで構成される。これらの操作入力装置６の構成要素のボタンがユーザに押されることにより、操作入力装置６は、例えば赤外線などの無線通信により、ユーザのボタンの押下による操作情報を、アクセス装置５に通知する。
【００２４】
以上、本実施形態の地域情報のアクセスシステムの構成について、説明した。次に、本実施形態の地域情報のアクセスシステムの動作について、図１から図４を参照しつつ、図５および図６に沿って説明する。
【００２５】
なお、図５は、映像系の信号１０１を、アクセス装置５から表示装置７に表示させる処理を示すフローチャートである。一方、図６は、情報系の信号１０２を、アクセス装置５から表示装置７に表示させる処理を示すフローチャートである。従って、ユーザは、映像切替ボタン６Ａを用いて、上記２つの信号のうち、どちらの信号を表示装置７に表示させるかを、前もって選択しておく必要がある。なお、映像の切替えは、例えば、映像切替ボタン６Ａを押す度に、映像系の信号１０１と情報系の信号１０２とを交互に切替えるものとする。
【００２６】
また、映像の切替えを行う契機は、ユーザによって映像切替ボタン６Ａが押される任意の時であり、以下に図５および図６を用いて述べるフローの中で、所定の時期に特定されるものではない。よって、図５および図６には、映像の切替えの処理を省略する。これはあくまで、映像の切替え処理が、任意のタイミングでなされることによるものであり、図５および図６によるフローに、映像の切替えの処理が含まれないことを意図するものではない。
【００２７】
まず、映像切替ボタン６Ａによって、映像系の信号１０１が選択されたものとして、その表示に関する処理について、図５を用いて説明する。
【００２８】
まず、Ｓ１０１（前準備）について、説明する。自治体の担当者は、地域情報のコンテンツを作成し、映像系サーバ装置１および情報系サーバ装置２に登録する。次に、光ネットワーク９の運営者およびユーザは、光ネットワーク９の配線を行い、地域情報のアクセスシステムを構成する各装置（映像系サーバ装置１、情報系サーバ装置２、ならびに、アクセス装置５）を、光ネットワーク９と接続し、各装置の電源を投入する。なお、アクセス装置５の電源投入を契機として、電源部４１を介して、アクセス装置５に電力が供給される。
【００２９】
次に、Ｓ１０２（映像系の信号の受信）について、説明する。アクセス装置５は、光ネットワーク９から映像系信号通信部１１Ａを介して、映像系サーバ装置１から、映像系の信号１０１を受信する。なお、映像系サーバ装置１は、映像系サーバ装置１内に登録されたコンテンツについて、随時光ネットワーク９に送信し続けているものとする。
【００３０】
さらに、Ｓ１０３（電気信号への変換）について、説明する。アクセス装置５は、光／電気信号変換部１１Ｂを用いて、受信した映像系の信号１０１について、光信号から電気信号に変換する。より具体的には、映像系信号通信部１１Ａは、映像系信号通信部１１Ａの受光部を用いて、映像系の信号１０１を感知して、電圧の強弱の信号へと変換する。そして、映像系信号通信部１１Ａは、変換された映像系の信号１０１の電圧が減衰されていることもあり得るので、映像系信号通信部１１Ａの増幅回路によって、適宜電圧の増幅を行う。
【００３１】
そして、Ｓ１０４（映像チャンネルの抽出）について、説明する。アクセス装置５は、映像系信号のチューナ部２１を用いて、受信した映像系の信号１０１に含まれる映像のチャンネルのうち、所定の映像チャンネルの信号を抽出する。なお、チャンネルの抽出は、例えば、受信した映像系の信号１０１に含まれる映像チャンネルが、波長多重されている場合に、所定の映像チャンネルに対応する波長の信号を抽出する処理である。また、所定のチャンネルとは、任意のタイミングで、操作入力装置６によってユーザが選択した１つ以上のチャンネルである。また、映像系信号のチューナ部２１は、受信した映像系の信号１０１にモザイクなどの特殊処理が加えられている場合、適宜特殊処理を解除する変換を行い、視聴可能にする。
【００３２】
また、Ｓ１０５（映像信号のＡ／Ｄ変換）について、説明する。アクセス装置５は、チャンネルが抽出された映像系の信号１０１について、映像信号のＡ／Ｄ変換部２２を用いて、アナログ信号からデジタル信号への変換処理を行う。ここで、変換処理は、所定の周期でアナログ信号の一部を抽出する標本化処理、ならびに、抽出された各アナログ信号を測定し、離散値に近似する量子化処理である。これらの処理は、デジタル信号を扱う演算処理部２３に、映像系の信号１０１を入力するための前処理として行われる。
【００３３】
ここで、Ｓ１０６（映像信号のデジタル処理）について、説明する。アクセス装置５の演算処理部２３は、入力された映像系の信号１０１について、所定のデジタル信号処理を行う。なお、所定のデジタル信号処理は、例えば、映像系の信号１０１をＭＰＥＧ２（Ｍｏｖｉｎｇ  Ｐｉｃｔｕｒｅ  Ｅｘｐｅｒｔｓ  Ｇｒｏｕｐ２）形式に符号化して、情報系機器通信部３３に接続されたＰＣに転送する処理である。
【００３４】
さらに、Ｓ１０７（映像信号のＤ／Ａ変換）について、説明する。アクセス装置５は、映像系の信号１０１を表示装置７に表示させるために、映像信号のＤ／Ａ変換部２４を用いて、デジタル方式の映像系の信号１０１を、アナログ方式に変換する。なお、表示装置７がデジタル方式の映像系の信号１０１を入力可能な場合には、Ｓ１０７（映像信号のＤ／Ａ変換）の処理は、省略が可能である。
【００３５】
そして、Ｓ１０８（映像信号の出力）について、説明する。アクセス装置５は、映像出力部３２を介して、映像系の信号１０１を表示装置７に出力する。そして、表示装置７は、受信した映像系の信号１０１を表示する。
【００３６】
以上、映像切替ボタン６Ａによって、映像系の信号１０１が選択された場合の表示処理について、説明した。一方、映像切替ボタン６Ａによって、情報系の信号１０２が選択された場合の表示処理について、図１〜図５を適宜参照しつつ、図６に沿って説明する。
【００３７】
まず、Ｓ２０１（前準備）、Ｓ２０２（情報系の信号の受信）、ならびに、Ｓ２０３（電気信号への変換）について、図５に示す処理と図６に示す処理とを比較しつつ、説明する。Ｓ２０１（前準備）では、Ｓ１０１（前準備）と同様に、コンテンツの準備、配線の接続、ならびに、装置への電源投入の各処理が行われる。ここでは、Ｓ１０１（前準備）において映像系サーバ装置１に映像系の信号１０１を登録させる替わりに、Ｓ２０１（前準備）において、情報系サーバ装置２に情報系の信号１０２を登録させる。次に、アクセス装置５が光ネットワーク９から信号を受信する処理に際し、Ｓ１０２（映像系の信号の受信）において、映像系信号通信部１１Ａを介して、映像系サーバ装置１から、映像系の信号１０１を受信する替わりに、Ｓ２０２（情報系の信号の受信）において、情報系信号通信部１２Ａを介して、情報系サーバ装置２から、情報系の信号１０２を受信する。さらに、アクセス装置５は、電気信号への変換について、Ｓ１０３（電気信号への変換）により光／電気信号変換部１１Ｂを用いて、受信した映像系の信号１０１を変換する処理に替えて、Ｓ２０３（電気信号への変換）により光／電気信号変換部１２Ｂを用いて、受信した情報系の信号１０２を変換する処理を行う。
【００３８】
次に、Ｓ２０４（情報信号のデジタル処理）について、説明する。アクセス装置５の演算処理部２３は、入力された情報系の信号１０２について、所定のデジタル信号処理を行い映像化する。なお、映像化の処理は、例えば、ＨＴＭＬ（ＨｙｐｅｒＴｅｘｔ  Ｍａｒｋｕｐ  Ｌａｎｇｕａｇｅ）形式で記述された情報系の信号１０２から、表示するデータおよびデータへの操作を受けつけるアイコン群（Ｗｅｂブラウザ）を生成する処理である。
【００３９】
また、Ｓ２０５（映像信号のＤ／Ａ変換）について、説明する。アクセス装置５は、映像信号のＤ／Ａ変換部２４を用いて、映像化されたデジタル方式の情報系の信号１０２を、アナログ方式に変換する。なお、この処理は、図５におけるＳ１０７（映像信号のＤ／Ａ変換）に相当する。
【００４０】
そして、Ｓ２０６（映像信号の出力）について、説明する。アクセス装置５は、Ｓ１０８（映像信号の出力）と同様に、映像化された情報系の信号１０２を、表示装置７に出力する。そして、表示装置７は、受信した情報系の信号１０２を表示する。
【００４１】
さらに、Ｓ２０７（操作の入力）について、説明する。アクセス装置５は、操作入力装置６を介して、ユーザからの操作の入力を受けつける。まず、操作入力装置６は、ユーザからのボタン（例えば、電子メールボタン６Ｄ）の押下を契機に、電子メールのソフトを起動するなどの操作の入力を、アクセス装置５に伝達する。次に、アクセス装置５は、操作入力装置６からの操作の入力の信号を、操作入力部３１によって、受信する。なお、操作入力部３１は、例えば赤外線センサによって構成され、操作入力装置６から出力された赤外線による操作の入力の信号を受信する。また、ユーザは、操作入力装置６の替わりに、ＰＣや周辺機器８を用いて、操作を入力することもできる。その場合、アクセス装置５は、ＰＣや周辺機器８が接続されている情報系機器通信部３３を介して、操作の入力の信号を受信する。そして、アクセス装置５は、受信した操作の入力の信号を、演算処理部２３に伝達する。
【００４２】
ここで、演算処理部２３は、受信した操作の入力の信号を、表示装置７に表示させる画面の映像に、反映させる。例えば、受信した操作の入力の信号が、行政情報ボタン６Ｃの押下による行政情報の取得指示である場合は、アクセス装置５は、情報系サーバ装置２に行政情報の取得要求を行い、情報系サーバ装置２から返信された行政情報サービスのメニュー画面を、表示装置７に表示させる画面の映像に付加する（図７参照）。
【００４３】
そして、Ｓ２０８（情報系の信号の送信）について、説明する。アクセス装置５は、例えば、情報系サーバ装置２に格納されている行政情報のサービスをユーザに利用させるために、ユーザから入力された情報を、情報系の信号１０２として情報系サーバ装置２に送信する処理を行う。例えば、行政情報の一例である“証明書の発行予約”（図８（Ａ）参照）に対して、個々の証明書の発行枚数という入力がユーザから行われた場合、その入力を、情報系の信号１０２として、情報系サーバ装置２に送信する。そして、情報系サーバ装置２は、アクセス装置５から情報系の信号１０２を受信し、受信した旨を、確認画面としてユーザに返信する（図８（Ｂ）参照）。
【００４４】
以上、本発明の一実施形態について説明した。かかる構成によれば、光ファイバ通信に適応させて情報系の信号および映像系の信号を、１台の装置で効率的に閲覧させることができる。なお、図１３に、本発明の一実施形態についての機能ブロック図を示す。
【００４５】
以上説明した本発明は、発明の趣旨を逸脱しない範囲で広く変形実施することができる。
【００４６】
例えば、図５における映像系の信号１０１の変換処理について、Ｓ１０３（電気信号への変換）を行った後に、Ｓ１０８（映像信号の出力）を行ってもよい。この際のアクセス装置５の構成の一例を、図９に示す。図９では、“ＴＶ系光／電気信号変換器”（映像系信号通信部１１Ａおよび光／電気信号変換部１１Ｂに対応）による光信号から電気信号への変換された映像系の信号１０１は、ＲＦ信号により、そのまま表示装置７に出力されている。そして、ＴＶチューナ機能を搭載する表示装置７は、受信した映像系の信号１０１から、所定のチャンネルの信号を抽出してから表示する。なお、所定のチャンネルの指定は、例えば、表示装置７に付属する従来のリモコン装置（操作入力装置６とは別の装置で、図示は省略）から、ユーザによって行われる。
【００４７】
また、図５における映像系の信号１０１の変換処理について、Ｓ１０４（映像チャンネルの抽出）の実行後に、Ｓ１０８（映像信号の出力）を行ってもよい。この際のアクセス装置５の構成の一例を、図１０に示す。なお、図１０の構成は、演算処理部２３によるデジタル処理が不要な時に使用されるものである。具体的には、“ＴＶチューナ”（映像系信号のチューナ部２１に対応）から出力された信号が、そのまま表示装置７に出力されている。
【００４８】
さらに、図５における映像系の信号１０１がデジタル形式またはアナログ形式によって伝送された場合の、アクセス装置５の構成を比較する説明図を、図１１（Ａ）および図１１（Ｂ）に示す。なお、図１１（Ａ）は、映像系の信号１０１がデジタル形式で伝送された場合の構成図の一例であり、図１１（Ｂ）は、映像系の信号１０１がアナログ形式で伝送された場合の構成図の一例である。図１１（Ａ）と図１１（Ｂ）との差異は、装置内の中央に付された“ＴＶ信号変換器”（映像信号のＡ／Ｄ変換部２２に対応）の有無である。図１１（Ｂ）の構成では、演算処理部２３において映像系の信号１０１を処理させるために、“ＴＶ信号変換器”が、アナログ形式の映像系の信号１０１を、デジタル形式に変換している。なお、図１１（Ａ）と図１１（Ｂ）との両方の右側に付された“ＴＶ信号変換器”は、映像信号のＤ／Ａ変換部２４および映像出力部３２に対応している。
【００４９】
また、表示装置７がデジタル信号の入力に対応している場合については、映像系の信号１０１をアナログ形式に変換してから出力する必要がない。そこで、映像信号のＤ／Ａ変換部２４によるアナログ形式への変換処理を省略する構成の一例について、図１２に示す。図１２では、アクセス装置５の中央に付された“ＴＶ信号変換器”（映像信号のＡ／Ｄ変換部２２に対応）の出力であるデジタル信号を、直接表示装置７に出力している。
【００５０】
さらに、Ｓ２０７（操作の入力）における操作の入力の手段は、表示装置７によって表示された画面に対して、表示装置７に付された入力手段を用いてもよい。それにより、アンケートの回答やカタログの請求入力などの操作情報を、表示装置７からアクセス装置５に伝達することができ、表示装置７の双方向化が実現する。
【００５１】
また、図３（Ａ）に示すアクセス装置５の概観図において、光ファイバケーブルを接続する端子を、アクセス装置５の外部に付する替わりに、アクセス装置５の内部に有する構成としてもよい（図１４参照）。そして、ユーザは、図１４において、“光ファイバコード取り込み口”から光ファイバケーブルをアクセス装置５内に取り込んで、アクセス装置５のケース内部で映像系光入力および情報系光入力の光ファイバコネクタの接続を行う。これにより、光ファイバの接続が外れにくくなり、また、アクセス装置５の外観がすっきりするので、アクセス装置５を収納しやすくなるという利点がある。
【００５２】
【発明の効果】
本発明により、光ファイバ通信に適応させて情報系の信号および映像系の信号を、１台のアクセス装置で受信することで、効率的に閲覧させることができる。その結果、複数の受信装置を別々に用意する方式に比べ、設置場所を省スペース化できるとともに、消費電力の節約、および、機器と接続するケーブルを用意する手間を削減することができる。
【図面の簡単な説明】
【図１】本発明の一実施形態に係る地域情報のアクセスシステムの構成図である。
【図２】本発明の一実施形態に係るアクセス装置の構成図である。
【図３】本発明の一実施形態に係るアクセス装置の概観図である。
【図４】本発明の一実施形態に係る操作入力装置の概観図である。
【図５】本発明の一実施形態に係る映像系の信号の表示に関する処理を示すフローチャートである。
【図６】本発明の一実施形態に係る情報系の信号の表示に関する処理を示すフローチャートである。
【図７】本発明の一実施形態に係る行政情報サービスのメニュー画面図である。
【図８】本発明の一実施形態に係る行政情報サービスの操作画面図である。
【図９】本発明の一実施形態に係るアクセス装置おける変形実施の一例を示す構成図である。
【図１０】本発明の一実施形態に係るアクセス装置おける変形実施の一例を示す構成図である。
【図１１】本発明の一実施形態に係るアクセス装置おける変形実施の一例を示す構成図である。
【図１２】本発明の一実施形態に係るアクセス装置おける変形実施の一例を示す構成図である。
【図１３】本発明の一実施形態に係る地域情報のアクセスシステムの機能ブロック図である。
【図１４】本発明の一実施形態に係るアクセス装置の概観図であり、光ファイバケーブルをアクセス装置の内部で接続する一例を示す図である。
【符号の説明】
１…映像系サーバ装置
２…情報系サーバ装置
５…アクセス装置
６…操作入力装置
７…表示装置
８…周辺機器
９…光ネットワーク
１０…外部インタフェース部
１１Ａ…映像系信号通信部
１２Ａ…情報系信号通信部
１１Ｂ、１２Ｂ…光／電気信号変換部
２０…処理部
２１…映像系信号のチューナ部
２２…映像信号のＡ／Ｄ変換部
２３…演算処理部
２４…映像信号のＤ／Ａ変換部
３０…内部インタフェース部
３１…操作入力部
３２…映像出力部
３３…情報系機器通信部
４０…共通部
４１…電源部
４２…音声部
４３…センサ処理部
１０１…映像系の信号
１０２…情報系の信号
【図１】
2004242206.tif 000003
【図２】
2004242206.tif 000004
【図３】
2004242206.tif 000005
【図４】
2004242206.tif 000006
【図５】
2004242206.tif 000007
【図６】
2004242206.tif 000008
【図７】
2004242206.tif 000009
【図８】
2004242206.tif 000010
【図９】
2004242206.tif 000011
【図１０】
2004242206.tif 000012
【図１１】
2004242206.tif 000013
【図１２】
2004242206.tif 000014
【図１３】
2004242206.tif 000015
【図１４】
2004242206.tif 000016